(57)【要約】【課題】  本発明によって、中間製品の巻き長さを長くした場合においても、巻きシワや巻きズレの発生を防ぐことができ、複合半透膜の製造コストの低減を図ること。【解決手段】基材の上に多孔性支持層を有し、さらにその上に分離機能層を配した複合半透膜において、複合半透膜を幅方向に５つの領域に等分割し、順にそれぞれの領域の複合半透膜の平均厚みをｔ１〜ｔ５としたときに以下の式を満たす複合半透膜。    １μｍ≦ｔ３−（ｔ１＋ｔ５）／２≦１０μｍ    ｔ１＜ｔ２＜ｔ３    ｔ５＜ｔ４＜ｔ３【選択図】なし【特許請求の範囲】
【請求項１】
基材の上に多孔性支持層を有し、さらにその上に分離機能層を配した複合半透膜において、複合半透膜を幅方向に５つの領域に等分割し、順にそれぞれの領域の複合半透膜の平均厚みをｔ１〜ｔ５としたときに以下の式を満たす複合半透膜。
１μｍ≦ｔ３−（ｔ１＋ｔ５）／２≦１０μｍ
ｔ１＜ｔ２＜ｔ３
ｔ５＜ｔ４＜ｔ３
【請求項２】
下記式を満たす請求項１に記載の複合半透膜
｜ｔ１−ｔ５｜≦１０μｍ
【請求項３】
多孔性支持層中の緻密層の厚みが多孔性支持層の厚みに対して１０％〜５０％であり、幅方向での差が１５％以下であることを特徴とする請求項１または請求項２に記載の複合半透膜。
【発明の詳細な説明】
【技術分野】
【０００１】
本発明は、液状混合物の選択的分離に有用な複合半透膜およびその製造方法に関する。本発明に係る複合半透膜は、例えば海水やかん水の淡水化に好適に用いることができる。
【背景技術】
【０００２】
混合物の分離に関して、溶媒（例えば水）に溶解した物質（例えば塩類）を除くための技術には様々なものがあるが、近年、省エネルギーおよび省資源類のためのプロセスとして膜分離法の利用が拡大している。膜分離法に使用される膜には、精密ろ過膜、限外ろ過膜、ナノろ過膜、逆浸透膜などがあり、これらの膜は、例えば海水、かん水、有害物を含んだ水などから飲料水を得る場合や、工業用超純水の製造、排水処理、有価物の回収などに用いられている。
【０００３】
現在市販されている逆浸透膜およびナノろ過膜の大部分は複合半透膜であり、多孔性支持膜上にゲル層とポリマーを架橋した活性層を有するものと、多孔性支持膜上でモノマーを重縮合した活性層を有するものとの２種類がある。なかでも、多官能アミンと多官能酸ハロゲン化物との重縮合反応によって得られる架橋ポリアミドからなる分離機能層を多孔性支持膜上に被覆して得られる複合半透膜は、透水性や塩除去率の高い分離法として広く用いられている。（特許文献１、２）
このような複合半透膜は、長尺の基材の表面に高分子溶液を塗布した後、高分子溶液が塗布された基材を凝固、洗浄工程を通過させ、基材の表面に多孔性支持層が形成された多孔性支持膜が得られ、その後多孔性支持膜上に多官能アミン水溶液を塗布し、表面の液滴を液切りした後、多官能酸ハロゲン化物の有機溶液を塗布し多孔性支持膜上で界面重合を行うことで分離機能層を多孔性支持膜上に設けて長尺の複合半透膜を得る。
【０００４】
得られた長尺の複合半透膜は、製造された後、基材が外側に位置するようにしてロール状に中間製品として巻き取られる。この中間製品から必要とする長さを切り取り、エレメントを製造するのに用いる。
【０００５】
エレメント化するに際して、中間製品から巻き出される複合半透膜の状態は、エレメント化工程の作業性や、エレメント化された製品の性能に影響を与える。複合半透膜の幅方向の両端部にカールが発生すると、エレメント化工程において作業性が著しく低下する。（特許文献３）また、長尺で巻き取られた中間製品に巻きしわや巻きズレが発生した場合、複合半透膜の分離機能層にキズが入り、その部分を塩類が透過するため、作られたエレメントの性能は低いものとなる。
【先行技術文献】
【特許文献】
【０００６】
【特許文献１】特開平９−１９６３０号公報
【特許文献２】特開２００５−１６９３３２号公報
【特許文献３】国際公開第２０１１／１１８４８６号
【発明の概要】
【発明が解決しようとする課題】
【０００７】
長尺の中間製品を巻き取る際その巻芯には巻き付け時のテープ跡や、巻き始めシワが発生するため、中間製品の巻き芯側には製品として使用できない部分が一定長さ発生する。中間製品の巻き長さが短いほどに、この使用できない部分の割合が大きくなり、複合半透膜の製造コストが上がっていく。しかし、製造コストを下げるために中間製品の巻き長さを長くしようとすると、中間製品の巻径が大きくなり、巻きシワや巻きズレが発生しやすくなるという課題があった。
【０００８】
そこで本発明の目的は、複合半透膜の製造コストを低減するために、中間製品の巻き長さを長くした場合においても、巻きシワや巻きズレの発生を防ぐことができる複合半透膜を提供することにある。
【課題を解決するための手段】
【０００９】
上記目的を達成するため、本発明の複合半透膜は下記の構成からなるものである。
＜１＞基材の上に多孔性支持層を有し、さらにその上に分離機能層を配した複合半透膜において、複合半透膜を幅方向に５つの領域に等分割し、順にそれぞれの領域の複合半透膜の平均厚みをｔ１〜ｔ５としたときに、以下の式を満たす複合半透膜。
【００１０】
１μｍ≦ｔ３−（ｔ１＋ｔ５）／２≦１０μｍ
ｔ１＜ｔ２＜ｔ３
ｔ５＜ｔ４＜ｔ３
＜２＞下記式を満たす前記＜１＞に記載の複合半透膜。
【００１１】
｜ｔ１−ｔ５｜≦１０μｍ
＜３＞多孔性支持層中の緻密層の厚みが多孔性支持層の厚みに対して、１０％〜５０％であり、幅方向での差が１５％以下であることを特徴とする、前記＜１＞または＜２＞に記載の複合半透膜。
【発明の効果】
【００１２】
本発明によって、中間製品の巻き長さを長くした場合においても、巻きシワや巻きズレの発生を防ぐことができ、複合半透膜の製造コストの低減を図ることができる。
【発明を実施するための形態】
【００１３】
複合半透膜
本発明の複合半透膜は、基材および多孔性支持層からなる多孔性支持膜と、該多孔性支持膜上に形成された分離機能層とを備える。本発明の複合半透膜は、その厚みが幅方向で変化することを特徴とする。
【００１４】
本発明者らは鋭意検討した結果、幅方向における複合半透膜の中央部の厚みが端部に比べて厚いときに、複合半透膜の製造時に中間製品の巻き長さを長くしても巻きシワや巻きズレなく巻き取れることを見出した。
【００１５】
すなわち、複合半透膜を幅方向に５つの領域に等分割し、順にそれぞれの領域の複合半透膜の平均厚みをｔ１〜ｔ５とした場合に、１μｍ≦ｔ３−（ｔ１＋ｔ５）／２≦１０μｍが必要であり、１μｍ≦ｔ３−（ｔ１＋ｔ５）／２≦５μｍがさらに好ましい。さらに、ｔ１＜ｔ２＜ｔ３、ｔ３＞ｔ４＞ｔ５を満たすことが必要である。中央部の厚みｔ３が、端部の厚みｔ１、ｔ５に比べて厚すぎる、すなわちｔ３−（ｔ１＋ｔ５）／２＞１０μｍのとき、中間製品の巻径が大きくなってきた場合に、中央部が端部に比べて極端に膨れてしまい、それにより複合半透膜の分離機能層が変形し、性能低下を引き起こしてしまう。一方、幅方向の厚みに変化がない、すなわちｔ３−（ｔ１＋ｔ５）／２＜１μｍの場合には、中間製品を巻いているときに、重なり合う複合半透膜と複合半透膜との密着が強くなり、蛇行により膜がズレた際に、膜表面が強くこすれてしまいキズがつくことにより性能低下を引き起こしてしまう。
【００１６】
また、複合半透膜の厚みに関して、一方の端部と他方の端部の厚みは同じであることが好ましい。すなわち、｜ｔ１−ｔ５｜≦１０μｍであることが好ましく、さらに好ましくは｜ｔ１−ｔ５｜≦５μｍである。｜ｔ１−ｔ５｜＞１０μｍの場合には、巻き取った中間製品の片側端部がもう一方の端部に比べて巻き太ることにより、幅方向での張力バランスがくずれ、巻きズレが発生してしまう。
（１−１）多孔性支持膜
多孔性支持膜は、基材と前記基材上に設けられる多孔性支持層とを備えるものであり、実質的にイオン等の分離性能を有さず、分離機能層に強度を与えることができる。
【００１７】
多孔性支持膜の厚みは、複合半透膜の強度および複合半透膜をエレメント化したときの充填密度に影響を与える。十分な機械的強度および充填密度を得るためには、多孔性支持膜の厚さは３０〜３００μｍの範囲内にあることが好ましく、より好ましくは５０〜２５０μｍの範囲内である。
（１−２）多孔性支持層
本発明における多孔性支持層は、非対称膜であることが好ましい。非対称構造とは片面に緻密な細孔を持ち、もう一方の面まで細孔が徐々に大きくなっていく構造であり、細孔径が片面からもう一方の面まで連続的に変化していることが好ましい。
【００１８】
多孔性支持層中には、孔径が１０μｍ以上の空隙すなわちマクロボイドを有するマクロボイド層が基材側に存在し、マクロボイドの存在しない緻密層が分離機能層側に存在する。多孔性支持層中の緻密層の厚みは、多孔性支持層の厚みに対して、１０％〜５０％であることが好ましく、さらに好ましくは２０％〜４０％である。緻密層の割合が１０％よりも小さいと、大きな空隙であるマクロボイドが多いため、多孔性支持層の剛性が低くなり、水をろ過するときの高圧運転に耐えられず支持層が変形してしまう。また。緻密層の割合が５０％よりも大きいと、界面重合時に保有されるアミン量が少なくなり、十分な分離機能層が形成されず、高い性能を得ることができない。
【００１９】
緻密層の厚みに関して、幅方向での差が１５％以下であることが好ましく、さらに好ましくは１０％以下である。幅方向での差が１５％よりも大きい場合は、幅方向での性能の差が大きくなり、ロット間での性能変動の要因となる。
【００２０】
多孔性支持膜は、例えば基材上に高分子重合体を流延することで、基材上に多孔性支持層を形成することにより得ることができる。多孔性支持膜に使用する材料やその形状は特に限定されない。
【００２１】
基材としては、ポリエステルおよび芳香族ポリアミドから選ばれる少なくとも一種からなる布帛が例示される。機械的および熱的に安定性の高いポリエステルを使用するのが特に好ましい。
【００２２】
基材に用いられる布帛としては、長繊維不織布や短繊維不織布を好ましく用いることができる。基材上に高分子重合体の溶液を流延した際にそれが過浸透により裏抜けしたり、基材と多孔性支持層が剥離したり、さらには基材の毛羽立ち等により膜の不均一化やピンホール等の欠点が生じたりすることがないような優れた製膜性が要求されることから、長繊維不織布をより好ましく用いることができる。長繊維不織布としては、熱可塑性連続フィラメントにより構成される長繊維不織布などが挙げられる。基材が長繊維不織布からなることにより、短繊維不織布を用いたときに起こる、毛羽立ちによって生じる高分子溶液流延時の不均一化や、膜欠点を抑制することができる。また、複合半透膜を連続製膜する工程においては、基材の製膜方向に張力がかけられることからも、基材としては、寸法安定性に優れる長繊維不織布を用いることが好ましい。特に、基材の多孔性支持層と反対側に配置される繊維の配向が、製膜方向に対して縦配向であることにより、基材の強度を保ち、膜破れ等を防ぐことができるので好ましい。ここで、縦配向とは、繊維の配向方向が製膜方向と平行であることを言う。逆に、繊維の配向方向が製膜方向と直角である場合は、横配向と言う。
【００２３】
基材の多孔性支持層の反対側に配置される繊維の繊維配向度としては０°〜２５°の範囲にあることが好ましい。ここで繊維配向度とは、多孔性支持膜を構成する不織布基材の繊維の向きを示す指標であり、連続製膜を行う際の製膜方向を０°とし、製膜方向と直角の方向、すなわち不織布基材の幅方向を９０°としたときの、不織布基材を構成する繊維の平均の角度のことを言う。よって、繊維配向度が０°に近いほど縦配向であり、９０°に近いほど横配向であることを示す。
【００２４】
複合半透膜の製造工程やエレメントの製造工程には、加熱工程が含まれるが、加熱により多孔性支持膜または複合半透膜が収縮する現象が起きる。特に連続製膜において、幅方向には張力が付与されていないので、幅方向に収縮しやすい。多孔性支持膜または複合半透膜が収縮することにより、寸法安定性等に問題が生じるため、基材としては熱寸法変化率が小さいものが望まれる。
【００２５】
不織布基材において多孔性支持層と反対側に配置される繊維と多孔性支持層側に配置される繊維との配向度差が１０°〜９０°であると、熱による幅方向の変化を抑制することができ好ましい。
【００２６】
基材の通気度は２．０ｃｃ／ｃｍ２／ｓｅｃ以上であることが好ましい。通気度がこの範囲だと、複合半透膜の透水性能が高くなる。これは、多孔性支持膜を形成する工程で、基材上に高分子重合体を流延し、凝固浴に浸漬した際に、基材側からの非溶媒置換速度が速くなることで多孔性支持層の内部構造が変化し、その後の分離機能層を形成する工程においてモノマーの保持量や拡散速度に影響を及ぼすためと考えられる。
【００２７】
なお、通気度はＪＩＳ  Ｌ１０９６（２０１０）に基づき、フラジール形試験機によって測定できる。例えば、２００ｍｍ×２００ｍｍの大きさに基材を切り出し、サンプルとする。このサンプルをフラジール形試験機に取り付け、傾斜形気圧計が１２５Ｐａの圧力になるように吸込みファン及び空気孔を調整し、このときの垂直形気圧計の示す圧力と使用した空気孔の種類から基材を通過する空気量、すなわち通気度を算出することができる。フラジール形試験機は、カトーテック株式会社製ＫＥＳ−Ｆ８−ＡＰ１などが使用できる。
【００２８】
また、基材の厚みは、１０μｍ以上２００μｍ以下の範囲であることが好ましく、より好ましくは４０μｍ以上１５０μｍ以下の範囲である。
【００２９】
基材上に流延する樹脂の種類としては、例えばポリスルホンや酢酸セルロールやポリ塩化ビニル、あるいはそれらを混合したものが好ましく使用される。化学的、機械的および熱的に安定性の高いポリスルホンが特に好ましい。具体的には、次の化学式に示す繰り返し単位からなるポリスルホンを用いると、多孔性支持層の孔径が制御しやすく、寸法安定性が高いため好ましい。
【００３０】
【化１】
2018069148.tif 000002
【００３１】
例えば、上記ポリスルホンのＮ，Ｎ−ジメチルホルムアミド（ＤＭＦ）溶液を、密に織ったポリエステル布あるいはポリエステル不織布の上に一定の厚さに流延し、それを水中で湿式凝固させることによって、表面の大部分が直径１０ｎｍ以下の微細な孔を有した多孔性支持膜を得ることができる。
【００３２】
上記の多孔性支持膜の厚みは、得られる複合半透膜の強度およびエレメントにしたときの充填密度に影響を与える。多孔性支持膜の厚みは、十分な機械的強度および充填密度を得るためには、３０μｍ以上３００μｍ以下の範囲内にあることが好ましく、より好ましくは５０μｍ以上２５０μｍ以下の範囲内である。
【００３３】
多孔性支持層の形態は、走査型電子顕微鏡や透過型電子顕微鏡、原子間力顕微鏡により観察できる。例えば走査型電子顕微鏡で観察するのであれば、多孔性支持膜から基材を剥がして多孔性支持層を採取した後、これを凍結割断法で切断して断面観察のサンプルとする。このサンプルに白金または白金−パラジウムまたは四塩化ルテニウム、好ましくは四塩化ルテニウムを薄くコーティングして３〜１５ｋＶの加速電圧で高分解能電解放射型走査電子顕微鏡は、日立製Ｓ−９００型電子顕微鏡などが使用できる。
【００３４】
本発明に使用する多孔性支持膜は、ミリポア社製“ミリポアフィルターＶＳＷＰ”（商品名）や、東洋濾紙社製“ウルトラフィルターＵＫ１０”（商品名）のような各種市販材料から選択することもできるし、“オフィス・オブ・セイリーン・ウォーター・リサーチ・アンド・ディベロップメント・プログレス・レポート”Ｎｏ．３５９（１９６８）に記載された方法などに従って製造することもできる。
【００３５】
多孔性支持層の厚みは、２０μｍ以上７０μｍ以下の範囲内にあることが好ましい。多孔性支持層の厚みが２０μｍ以上であることで、良好な耐圧性が得られるとともに、欠点のない均一な多孔性支持膜を得ることができるので、このような多孔性支持層を備える複合半透膜は、良好な塩除去性能を示すことができる。多孔性支持層の厚みが７０μｍを超えると、製造時の未反応物質の残存量が増加し、それにより透水性能が低下するとともに、耐薬品性が低下する。
【００３６】
さらに、複合半透膜を幅方向に５つの領域に等分割し、順にそれぞれの領域の多孔性支持層の平均厚みをｓ１〜ｓ５とした場合に、ｓ１＜ｓ２＜ｓ３、ｓ３＞ｓ４＞ｓ５を満たすことが好ましい。すなわち、幅方向における中央部の多孔性支持層の厚みが、端部の多孔性支持層の厚みよりも厚いことが好ましい。このようにすることで、多孔性支持層の厚みを調整することにより、複合半透膜の幅方向の厚みを好ましい範囲に調整することが容易となる。
【００３７】
なお、基材の厚みおよび複合半透膜の厚みは、デジタルシックネスゲージによって測定することができる。また、分離機能層の厚みは多孔性支持層の厚みと比較して非常に薄く無視できるので、多孔性支持層の上に分離機能層を設けたものの厚みを多孔性支持層の厚みとみなすことができる。従って、複合半透膜の厚みをデジタルシックネスゲージで測定し、複合半透膜の厚みから基材の厚みを引くことで、多孔性支持層の厚みを算出することができる。デジタルシックネスゲージとしては、尾崎製作所株式会社のＰＥＡＣＯＣＫなどが使用できる。
【００３８】
なお、基材の厚みもしくは複合半透膜の厚みをシックネスゲージによって測定することが困難な場合、走査型電子顕微鏡で測定してもよい。１つのサンプルについて任意の５箇所における断面観察の電子顕微鏡写真から厚みを測定し、平均値を算出することで厚みが求められる。
（１−３）分離機能層
分離機能層は、複合半透膜において溶質の分離機能を担う層である。分離機能層の組成および厚み等の構成は、複合半透膜の使用目的に合わせて設定させる。
【００３９】
ポリアミド分離機能層は、具体的には、多官能アミンと多官能酸ハロゲン化物との界面重縮合によって得られる架橋ポリアミドからなる。
【００４０】
ここで多官能アミンは、芳香族多官能アミンおよび脂肪族多官能アミンから選ばれた少なくとも１つの成分からなる。
【００４１】
芳香族多官能アミンとは、一分子中に２個以上のアミノ基を有する芳香族アミンであり、特に限定されるものではないが、メタフェニレンジアミン、パラフェニレンジアミン、１，３、５−トリアミノベンゼンなどが例示される。また、そのＮ−アルキル化物として、Ｎ，Ｎ−ジメチルパラフェニレンジアミン、Ｎ，Ｎ−ジエチルパラフェニレンジアミンなどが例示される。性能発現の安定性から、特にメタフェニレンジアミンまたは１，３，５−トリアミノベンゼンが好ましい。
【００４２】
また、脂肪族多官能アミンとは、一分子中に２個以上のアミノ基を有する脂肪族アミンであり、好ましくはピペラジン系アミンおよびその誘導体である。例えば、ピペラジン、２，５−ジメチルピペラジン、２−メチルピペラジン、２，６−ジメチルピペラジン、２，３，５−トリメチルピペラジン、２，５−ジエチルピペラジン、２，３，５−トリエチレンジアミンなどが例示される。性能発現の安定性から、特に、ピペラジンまたは２，５−ジメチルピペラジンが好ましい。
【００４３】
これらの多官能アミンは、単独で用いても、２種類以上を混合物として用いてもよい。
【００４４】
多官能酸ハロゲン化物とは、一分子中に２個以上のハロゲン化カルボニル基を有する酸ハロゲン化物であり、上記アミンとの反応によりポリアミドを与えるものであれば特に限定されない。多官能酸ハロゲン化物としては、例えば、シュウ酸、マロン酸、マレイン酸、フマル酸、グルタル酸、１，３，５−シクロヘキサントリカルボン酸、１，３−シクロヘキサンジカルボン酸、１，４−シクロヘキサンジカルボン酸、１，３，５−ベンゼントリカルボン酸、１，２，４−ベンゼントリカルボン酸、１，３−ベンゼンジカルボン酸、１,４−ベンゼンジカルボン酸等の酸ハロゲン化物を用いることができる。酸ハロゲン化物の中でも、酸塩化物が好ましく、特に経済性、入手の容易さ、取り扱い易さ、反応性の容易さ等の点から、１，３，５−ベンゼントリカルボン酸の酸ハロゲン化物であるトリメシン酸クロライドが好ましい。上記多官能酸ハロゲン化物は単独で用いても、２種類以上を混合物として用いてもよい。
２．複合半透膜の製造方法
次に、本発明に係る複合半透膜の製造方法について説明する。製造方法は、基材と多孔性支持層を含む支持膜の形成工程および分離機能層の形成工程を含む。
（２−１）支持膜の形成工程
支持膜の形成工程は、基材に高分子溶液を塗布する工程、基材に前記高分子溶液を含浸させる工程、および、前記高分子溶液を含浸した前記基材を、高分子の良溶媒と比較して前記高分子の溶解度が小さい溶液（以下、単に「非溶媒」と称する。）の凝固浴に浸漬させて前記高分子を凝固させ、高分子の三次元網目構造を形成させる工程を含んでいてもよい。
【００４５】
所定の構造を持つ層を得るためには、前記高分子溶液の基材への含浸を制御する必要がある。高分子溶液の基材への含浸を制御するためには、例えば、基材上に高分子溶液を塗布した後、非溶媒に浸漬させるまでの時間を制御する方法、或いは高分子溶液の温度または濃度を制御することにより高分子溶液の粘度を調整する方法が挙げられ、これらの製造方法を組み合わせることも可能である。
【００４６】
基材上に高分子溶液を塗布した後、凝固浴に浸漬させるまでの時間は、通常０．１〜５秒間の範囲であることが好ましい。凝固浴に浸漬するまでの時間がこの範囲であれば、高分子を含む有機溶媒溶液が基材の繊維間にまで十分含浸したのち固化される。なお、凝固浴に浸漬するまでの時間の好ましい範囲は、用いる高分子溶液の粘度などによって適宜調整すればよい。
【００４７】
多孔性支持層を形成する高分子溶液がポリスルホンを含有する場合、ポリスルホン濃度は、１０％以上２５％以下であり、好ましくは１３％以上２２％以下、さらに好ましくは１５％以上２０％以下である。ポリスルホン濃度が１０％よりも低いと、後述する方法により多孔性支持層の厚みを制御しようとしても、高分子溶液の粘度が低くなりすぎるため、凝固浴に浸漬するまでの間にレベリングして平坦になってしまい、所望する厚みに制御することができない。一方、ポリスルホン濃度が２５％を越える場合には、多孔性支持層の緻密層の割合が大きくなり、必要量のアミン水溶液を保持できなくなってしまい、得られる複合半透膜の性能が低くなる。
【００４８】
高分子溶液塗布時の高分子溶液の温度は、ポリスルホンを用いる場合、通常１０〜６０℃の範囲内で塗布するとよい。この範囲内であれば、高分子溶液が析出することなく、高分子を含む有機溶媒溶液が基材の繊維間にまで十分に含浸したのちに固化される。
【００４９】
その結果、アンカー効果により、多孔性支持層が基材に強固に接合し、本発明の多孔性支持膜を得ることができる。なお、高分子溶液の好ましい温度範囲は、用いる高分子溶液の粘度などによって適宜調整すればよい。
【００５０】
基材上への高分子溶液の塗布は、種々のコーティング法によって実施できるが、バーコート方式が好ましく適用される。バーコートで用いるコーティングバーは、横断面が円形の回転する棒でも、非回転の丸棒でも、ロールナイフと呼称されているエッジ付のバーでも、ブレードタイプのものでもよい。
【００５１】
多孔性支持膜を所望の厚みにするには、幅方向で高分子溶液の塗布厚みを変更しなければならない。すなわち、塗布端部では塗布厚みを薄く、塗布中央部では塗布厚みを厚くしなければならない。これを達成するために、コーティングバーと基材との間隙（クリアランス）を幅方向で変化させることが必要となる。そこで、ベンディング機構を有するロールナイフを用いるのが適している。ベンディング量の大小により、中央部のクリアランスを変更することができ、それによって、中央部の多孔性支持層厚みを調整することが可能となる。
【００５２】
多孔性支持層の厚みの調整は、基材とコーティングバーとのクリアランスを調整することにより行う。塗布端部におけるクリアランスと塗布中央部におけるクリアランス差は、３μｍ以上２０μｍ以下、好ましくは４μｍ以上１５μｍ以下である。クリアランス差が３μｍよりも小さい場合は、複合半透膜の厚みが幅方向で均一となる。クリアランス差が２０μｍより大きい場合は、中央部の複合半透膜の厚みが厚くなりすぎる。
【００５３】
本発明の良溶媒とは、高分子材料を溶解するものである。本発明で用いられる良溶媒としては、高分子の種類によって異なるものの、例えばＮ−メチル−２−ピロリドン（ＮＭＰ）；テトラヒドロフラン；ジメチルスルホキシド；テトラメチル尿素、ジメチルアセトアミド、ジメチルホルムアミド等のアミド；アセトン、メチルエチルケトン等の低級アルキルケトン；リン酸トリメチル、γ−ブチロラクトン等のエステルおよびラクトン；並びにこれらの混合溶媒が挙げられる。
【００５４】
前記樹脂の非溶媒としては、例えば水、ヘキサン、ペンタン、ベンゼン、トルエン、メタノール、エタノール、トリクロルエチレン、エチレングリコール、ジエチレングリコール、トリエチレングリコール、プロピレングリコール、ブチレングリコール、ペンタンジオール、ヘキサンジオール、低分子量のポリエチレングリコール等の脂肪族炭化水素、芳香族炭化水素、脂肪族アルコール、またはこれらの混合溶媒などが挙げられる。
【００５５】
凝固浴としては、通常水が使われるが、重合体を溶解しない上記非溶媒であればよい。組成によって多孔性支持層の膜形態が変化し、それによって複合半透膜の膜形成性も変化する。
【００５６】
また、凝固浴の温度は、−２０℃〜１００℃が好ましい。さらに好ましくは１０〜３０℃である。この範囲より高いと、熱運動により凝固浴面の振動が激しくなり、膜形成後の膜表面の平滑性が低下しやすい。逆に低すぎると凝固速度が遅くなり、製膜性に問題が生じる。
【００５７】
また、上記高分子溶液は、多孔性支持層の孔径、空孔率、親水性、弾性率などを調節するための添加剤を含有していてもよい。
【００５８】
孔径および空孔率を調節するための添加剤としては、水；アルコール類；ポリエチレングリコール、ポリビニルピロリドン、ポリビニルアルコール、ポリアクリル酸等の水溶性高分子またはその塩；塩化リチウム、塩化ナトリウム、塩化カルシウム、硝酸リチウム等の無機塩；ホルムアルデヒド、ホルムアミド等が例示されるが、これらに限定されるものではない。
【００５９】
親水性や弾性率を調節するための添加剤としては、種々の界面活性剤が挙げられる。
【００６０】
次に、このような好ましい条件下で得られた基材及び多孔性支持層を含む多孔性支持膜を、膜中に残存する製膜溶媒を除去するために熱水洗浄する。このときの熱水の温度は５０〜１００℃が好ましく、さらに好ましくは６０〜９５℃である。この範囲より高いと、多孔性支持膜の収縮度が大きくなり、透水性が低下する。逆に低いと洗浄効果が小さい。
（２−２）分離機能層の形成工程
次に、複合半透膜を形成する分離機能層の形成工程の一例として、ポリアミドを主成分とするポリアミド分離機能層の形成を挙げて説明する。
【００６１】
ポリアミド分離機能層の形成工程では、前述の多官能アミンを含有する水溶液と、多官能酸ハロゲン化物を含有する水と非混和性の有機溶媒溶液とを用い、多孔性支持膜の表面で界面重縮合を行うことにより、ポリアミド骨格を形成することができる。
【００６２】
多官能アミン水溶液における多官能アミンの濃度は３．０質量％以上２５質量％以下の範囲内であることが好ましく、より好ましくは５．０質量％以上２０質量％以下の範囲内である。この範囲であると十分な透水性と塩およびホウ素の除去性能を得ることができる。
【００６３】
多官能アミン水溶液には、多官能アミンと多官能酸ハロゲン化物との反応を妨害しないものであれば、界面活性剤や有機溶媒、アルカリ性化合物、酸化防止剤などが含まれていてもよい。
【００６４】
界面活性剤は、多孔性支持膜表面の濡れ性を向上させ、アミン水溶液と非極性溶媒との間の界面張力を減少させる効果がある。有機溶媒は界面重縮合の触媒として働くことがあり、添加することにより界面重縮合を効率よく行える場合がある。
【００６５】
界面重縮合を多孔性支持膜上で行うために、まず、上述の多官能アミン水溶液を多孔性支持膜に接触させる。接触は、多孔性支持膜面上に均一にかつ連続的に行うことが好ましい。
【００６６】
具体的には、例えば、多官能アミン水溶液を多孔性支持膜にコーティングする方法や多孔性支持膜を多官能アミン水溶液に浸漬する方法を挙げることができる。多孔性支持膜と多官能アミン水溶液との接触時間は、５秒以上１０分以下の範囲内であることが好ましく、１０秒以上３分以下の範囲内であるとさらに好ましい。
【００６７】
多官能アミン水溶液を多孔性支持膜に接触させた後は、膜上に液滴が残らないように十分に液切りする。十分に液切りすることで、複合半透膜形成後に液滴残存部分が欠点となって複合半透膜の除去性能が低下することを防ぐことができる。
【００６８】
液切りの方法としては、例えば、特開平２−７８４２８号公報に記載されているように、多官能アミン水溶液接触後の多孔性支持膜を垂直方向に把持して過剰の水溶液を自然流下させる方法や、エアーノズルから窒素などの気流を吹き付け、強制的に液切りする方法などを用いることができる。また、液切り後、膜面を乾燥させて水溶液の水分を一部除去することもできる。
【００６９】
次いで、多官能アミン水溶液接触、液切り後の多孔性支持膜に、多官能酸ハロゲン化物を含む水と非混和性の有機溶媒溶液を接触させ、界面重縮合により架橋ポリアミド分離機能層を形成させる。
【００７０】
水と非混和性の有機溶媒溶液中の多官能酸ハロゲン化物濃度は、０．１０質量％以上１０質量％以下の範囲内であることが好ましく、０．１４質量％以上２．０質量％以下の範囲内であることがさらに好ましい。多官能酸ハロゲン化物濃度が０．１０質量％以上であることで十分な反応速度が得られ、また、１０質量％以下であることで副反応の発生を抑制することができる。さらに、この有機溶媒溶液にＤＭＦのようなアシル化触媒を含有させると、界面重合が促進され、さらに好ましい。
【００７１】
水と非混和性の有機溶媒は、多官能酸ハロゲン化物を溶解し、多孔性支持膜を破壊しないものが望ましく、多官能アミン化合物および多官能酸ハロゲン化物に対して不活性であるものであればよい。好ましい例として、ヘキサン、ヘプタン、オクタン、ノナン、デカンなどの炭化水素化合物が挙げられる。
【００７２】
多官能酸ハロゲン化物を含む有機溶媒溶液を多孔性支持膜へ接触させる方法としては、多官能アミン水溶液を多孔性支持膜へ被覆する方法と同様に行えばよい。
【００７３】
本発明の界面重縮合工程においては、多孔性支持膜上を架橋ポリアミドで十分に覆い、かつ、接触させた多官能酸ハロゲン化物を含む水と非混和性の有機溶媒溶液を多孔性支持膜上に残存させておくことが肝要である。このため、界面重縮合を実施する時間は、０．１秒以上３分以下が好ましく、０．１秒以上１分以下であるとより好ましい。
【００７４】
界面重縮合を実施する時間が０．１秒以上３分以下であることで、支持膜上を架橋ポリアミド薄膜で十分に覆うことができ、かつ多官能酸ハロゲン化物を含む有機溶媒溶液を支持膜上に保持することができる。
【００７５】
界面重縮合によって支持膜上にポリアミド分離機能層を形成した後は、余剰の溶媒を液切りする。液切りの方法として、例えば、膜を垂直方向に把持して過剰の有機溶媒を自然流下して除去する方法や、エアーノズルから窒素などの気流を吹き付け、強制的に液切りする方法などを用いることができる。
【００７６】
得られた複合半透膜を水洗槽にて水洗し、複合半透膜に残留した溶媒を除去した後、複合半透膜を巻取装置にて中間製品として巻き取る。
（複合半透膜の利用）
複合半透膜は、プラスチックネットなどの原水流路材と、トリコットなどの透過水流路材と、必要に応じて耐圧性を高めるためのフィルムと共に、多数の孔を穿説した筒状の集水管の周りに巻回され、スパイラル型の複合半透膜エレメントとして好適に用いられる。さらに、このエレメントは、直列または並列に接続されて圧力容器に収納されることで、複合半透膜モジュールを構成することができる。
【００７７】
また、上記の複合半透膜や複合半透膜エレメント、複合半透膜モジュールは、それらに原水を供給するポンプや、その原水を前処理する装置などと組み合わせて、流体分離装置を構成することができる。この分離装置を用いることにより、原水を飲料水などの透過水と膜を透過しなかった濃縮水とに分離して、目的にあった水を得ることができる。
【実施例】
【００７８】
以下に実施例によって本発明をさらに詳細に説明するが、本発明はこれらの実施例によりなんら限定されるものではない。本発明の技術的範囲を逸脱しない範囲において、様々な変形や修正が可能である。
（複合半透膜の厚み）
複合半透膜を幅方向に等間隔に２５点マーキングし、端から順番に５点ずつ領域１〜領域５に分割する。なお、複合半透膜の厚み測定の対象は、基材の上に多孔性支持層が設けられている部分であり、基材の端部に多孔性支持層が設けられていない場所が存在する場合、その場所は複合半透膜の厚み測定の対象外とした。領域１〜領域５それぞれの領域でマーキングされた５点の複合半透膜の厚みを尾崎製作所株式会社ＰＥＡＣＯＣＫデジタルシックネスゲージにて測定し、５点の厚みを平均し、領域１〜領域５それぞれの平均厚みをｔ１〜ｔ５として求めた。ここで、平均としては算術平均を用いた。
（多孔性支持層の厚み）
上記に記載の複合半透膜の厚みの測定により、領域１〜領域５における複合半透膜の平均厚みｔ１〜ｔ５を測定する。その後、複合半透膜から基材を剥がし、領域１〜領域５それぞれの領域でマーキングされた５点において、基材の厚みを尾崎製作所株式会社製ＰＥＡＣＯＣＫデジタルシックネスゲージにて測定し、５点の厚みを平均し、領域１〜領域５における基材の平均厚みを求めた。ここで、平均としては算術平均を用いた。複合半透膜の平均厚みｔ１〜ｔ５から、領域１〜領域５におけるそれぞれの領域の基材の平均厚みを引くことにより、領域１〜領域５におけるそれぞれの領域の多孔性支持層の平均厚みｓ１〜ｓ５を求めた。
（緻密層厚み割合の幅方向差）
複合半透膜から基材を剥がして多孔性支持層を採取し、凍結割断法で切断して断面観察サンプルを作成し、このサンプルに白金を薄くコーティング後、高分解能電界放射型走査電子顕微鏡（日立製Ｓ−９００型電子顕微鏡）を用いて３〜６ｋＶの加速電圧で断面写真を撮影した。断面写真にて多孔性支持層の表面から、最も浅い位置に存在する孔径１０μｍ以上のマクロボイドまでの深さを緻密層の厚みとする。
また、断面写真の端と中央の３点にて多孔性支持層の厚みを測定し、３点の平均値を多孔性支持層の厚みとした。上記の緻密層の厚みと多孔性支持層の厚みから緻密層の厚みの割合（％）を求めた。複合半透膜の幅方向の端部と中央の３点において緻密層の厚みの割合（％）を測定し、最大値と最小値の差を幅方向での差（％）とした。
（中間製品の巻姿）
長尺の複合半透膜を作成し、中間製品を巻き取ったときの巻姿を観察し、変形や巻きズレ、巻きシワがないものを○、変形や巻きズレ、巻きシワが発生した場合を×とした。
（複合半透膜の幅方向性能差）
温度２５℃、ｐＨ６．５の海水（供給水に該当）を操作圧力５．５ＭＰａで、得られた複合半透膜に供給し、２４時間に渡ってろ過処理を行った。得られた透過水量を、膜面１平方メートルあたり、１日あたりの透水量（立方メートル）でもって膜透過流速（ｍ３／ｍ２／日）として表した。複合半透膜の幅方向の端部と中央（複合半透膜の厚み測定における領域１、領域３、領域５）の３点測定し、３点の膜透過流速の最大値と最小値の差が、３点の膜透過流速の平均値と比べて７％以内である場合を○、７％以上１５％以内の場合を△、１５％よりも大きい場合を×と判定した。
（実施例１）
基材として、ポリエチレンテレフタレート繊維からなる長繊維不織布（糸径：１デシテックス、厚み：約９０μｍ、通気度：１．３ｃｃ／ｃｍ２／ｓｅｃ）を用いた。多孔性支持層を形成する材料として、ポリスルホン（ソルベイ・アドバンスト・ポリマーズ株式会社のＵｄｅｌ（登録商標）Ｐ−３５００）を用いた。このポリスルホンをジメチルホルムアミドに溶解したポリスルホン溶液（濃度１６重量％、温度２０℃）を多孔性支持層形成用の高分子溶液として用いた。この高分子溶液を前記の不織布の表側に左右両端の一定幅を除き塗布した。このとき、高分子溶液を塗布する不織布表面には、ベンディング機能を有するコーティングバーを設け、ベンディング機能により不織布表面とコーティングバーとのクリアランスを幅方向で調整可能とし、幅方向での塗布厚みを調整できるようにした。不織布の裏面は、その全幅に渡り、バックアップロールにより支持した。コーティングバーのベンディング量を調整し、高分子溶液塗中央部のクリアランスが高分子溶液塗布端部のクリアランスに比べて１５μｍ広くなるようにセッティングした。高分子溶液が塗布された不織布を、塗布後０．５秒後に、２０℃の純水に浸し、ポリスルホンを凝固させて、不織布の表面に多孔性ポリスルホン支持層が形成された多孔性支持膜を製造した。得られた多孔性支持膜を水洗槽にて水洗し、多孔性支持膜に残留した溶媒を除去した後、ポリアミド機能層の形成工程に進めた。得られた多孔性支持膜を、ｍ−フェニレンジアミンの５質量％水溶液中に１分間浸漬し、垂直方向に引き上げ、エアーノズルから窒素を吹き付け多孔性支持膜表面から余分な水溶液を取り除いた後、トリメシン酸クロライド０．１７５質量％を含む２５℃のｎ−デカン溶液を表面が完全に濡れるようにコーティングした後、１分間搬送することにより、多孔製支持膜の上に、ポリアミド分離機能層を形成した。次に、エアーノズルから空気を吹き付けることにより、膜から余分な溶液を除去し、その後、９０℃の熱水で２分間洗浄し、得られた長尺の複合半透膜を巻き取り装置にて巻き取った。
【００７９】
得られた複合半透膜の厚み、中間製品の巻姿、幅方向の性能差は表１のようになった。巻姿も良好で、幅方向に性能差の小さい複合半透膜を得ることができた。
【００８０】
【表１】
2018069148.tif 000003
【００８１】
（実施例２）
ポリスルホン溶液の濃度を２０％とした以外は実施例１と同じようにして生産した。得られた複合半透膜の厚み、中間製品の巻姿、幅方向の性能差は表１のようになった。
（実施例３）
高分子溶液が塗布された不織布を１．０秒後に２０℃の純水に浸した以外は、実施例１と同じようにして生産した。得られた複合半透膜の厚み、中間製品の巻姿、幅方向の性能さは表１のようになった。
（実施例４）
ポリスルホン溶液の濃度を２０ｗｔ％とし、コーティングバーと基材のクリアランスを全体に狭く、さらにコーティングバーのベンディング量を調整して高分子溶液塗布中央部のクリアランスが高分子溶液塗布端部のクリアランスに比べて２５μｍ広くなるようにセッティングした。得られた複合半透膜は、その多孔性支持層の厚みが薄くなり、多孔性支持層の緻密層厚みの割合は幅方向で差が大きいものであり、それにより幅方向での性能に差が発生したものの、エレメント化することができ不合格品とはならなかった。
（比較例１）
コーティングバーのベンディング量を調整し、高分子溶液塗布中央部のクリアランスが高分子溶液塗布端部のクリアランスに比べて３０μｍ広くなるようにセッティングした。それ以外は実施例１と同じようにして生産した。得られた複合半透膜は中央部の厚みが端部に比べて非常に厚くなり、中間製品を巻き取ったときに中央部が膨れて変形した。これにより、膜性能が低下した。
（比較例２）
コーティングバーのベンディング量及び平行度を調整し、高分子溶液塗布中央部のクリアランスが領域１側の高分子溶液塗布端部のクリアランスに比べて２０μｍ広く、領域５側の高分子溶液塗布端部のクリアランスが領域１側の高分子塗布端部のクリアランスに比べて３０μｍ広くなるようにセッティングした。それ以外は実施例１と同じようにして製膜した。得られた複合半透膜は片側の厚みが薄くなり、中間製品を巻き取ったときに巻きズレが発生した。
（比較例３）
コーティングバーのベンディング量を調整し、高分子溶液塗布中央部のクリアランスが高分子溶液塗布端部のクリアランスと同じになるようにセッティングした。それ以外は実施例１と同じようにして生産した。得られた複合半透膜は中央部と端部の厚みがほぼ同じものであった。中間製品を巻き取っている最中、蛇行が発生して膜がズレる時の勢いが強く、それにより膜面にキズがつく頻度が多かった。またズレと同時に巻きシワも入った。
【産業上の利用可能性】
【００８２】
本発明の複合半透膜は、特に、海水やかん水の脱塩に好適に用いることができる。